(57)【要約】  生理学的センサは、電気グリッドの少なくとも1つの行と少なくとも1つの列とにアドレスすることによってそれぞれ作動される発光源を有する。発光源は、多数の波長の光を伝達させることができ、検出器は、身体組織による減衰後の透過光に応答する。生理学的センサの他の態様は、多数の波長を有する光を伝達させることのできる発光源である。各発光源は、第1の接点と第2の接点とを含む。発光源の第1のセットの第1の接点は、第1の導体と通信しており、発光源の第2のセットの第2の接点は、第2の導体と通信している。検出器は、身体組織によって減衰された透過光を検出し、身体組織の少なくとも1つの生理学的パラメータを示す信号を出力することができる。
2008538186.tif 000002
【特許請求の範囲】
【請求項１】
生理学的センサであって、
複数の発光源を含んでおり、前記発光源それぞれが、電気グリッドの複数の行の少なくとも1つと複数の列の少なくとも1つとにアドレスすることによって作動され、前記発光源が複数の波長の光を伝達させることができ、前記生理学的センサがさらに、
身体組織による減衰後の透過光に応答する検出器を含む生理学的センサ。
【請求項２】
前記発光源のうちの多数のものが、同一波長の光を伝達させることができ、前記多数のものが、前記行の1つにアドレスすることによって同時に作動される、請求項1に記載の生理学的センサ。
【請求項３】
前記発光源がLEDであり、
前記行の1つと前記列の1つとを駆動すると前記LEDのうち唯1つが作動されるように、前記LEDそれぞれが、前記行の1つと共通するアノードと、前記列の1つと共通するカソードとを有する、請求項2に記載の生理学的センサ。
【請求項４】
前記複数の行と通信する複数の行ドライバと、
前記複数の列と通信する複数の列ドライバとをさらに含んでおり、
前記LEDのうちアドレスされたものを作動させるために、選択された行ドライバが、対応する行に電流をソースし、選択された列ドライバが、対応する列から電流をシンクする、請求項3に記載の生理学的センサ。
【請求項５】
前記LEDのうちアドレスされていないものからの寄生電流を実質的に阻止するために、前記行ドライバのうち選択解除されたものが、対応する行を低電圧にプルダウンし、前記列ドライバのうち選択解除されたものが、対応する列を高電圧にプルアップする、請求項4に記載の生理学的センサ。
【請求項６】
前記電気グリッドが少なくとも3つの行または少なくとも3つの列を含む、請求項5に記載の生理学的センサ。
【請求項７】
前記電気グリッドが少なくとも8つのLEDと通信する、請求項5に記載の生理学的センサ。
【請求項８】
前記電気グリッドが、最高16個までのLEDと通信する4つの行および4つの列を含む、請求項5に記載の生理学的センサ。
【請求項９】
生理学的センサであって、
それぞれ第1の接点と第2の接点とを含む、複数の波長の光を伝達させることができる複数の発光源を含んでおり、前記複数の発光源の第1のセットの前記第1の接点が、第1の導体と通信しており、前記複数の発光源の第2のセットの前記第2の接点が、第2の導体と通信しており、前記生理学的センサがさらに、
身体組織によって減衰された透過光を検出して、前記身体組織の少なくとも1つの生理学的パラメータを示す信号を出力することができる検出器を含んでおり、
前記第1のセットの少なくとも1つの発光源と、前記第2のセットの少なくとも1つの発光源とが、前記第1のセットと前記第2のセットとに共通しておらず、
前記第1のセットおよび前記第2のセットそれぞれが少なくとも2つの前記発光源を含む生理学的センサ。
【請求項１０】
電気グリッドの複数の行導体と複数の列導体とをさらに含んでおり、
前記行導体の1つと前記列導体の1つとを駆動すると前記発光源の1つが作動されるように、前記第1のセットの前記第2の接点が前記列導体と通信し、前記第2のセットの前記第1の接点が前記行導体と通信する、請求項9に記載の生理学的センサ。
【請求項１１】
前記電気グリッドが4つの行導体と4つの列導体とを含んでおり、
前記発光源が最高16個までのLEDを含む、請求項10に記載の生理学的センサ。
【請求項１２】
前記発光源の第1のセットのサブセットが、同一波長を有する光を伝達させることができ、また、前記サブセットを同時に作動させることができる、請求項10に記載の生理学的センサ。
【請求項１３】
前記発光源がLEDであり、
前記LEDの前記第1の接点がアノード接点であり、
前記LEDの前記第2の接点がカソード接点である、請求項9に記載の生理学的センサ。
【請求項１４】
前記第1の導体と通信する第1のプッシュプルドライバと、
前記第2の導体と通信する第2のプッシュプルドライバとをさらに含んでおり、
前記LEDの1つを作動させるために、前記第1のプッシュプルドライバが前記アノード接点に電流をソースするように適合され、前記第2のプッシュプルドライバが前記カソード接点から電流をシンクするように適合され、
動作停止されたLEDを逆バイアスするために、前記第1のプッシュプルドライバが電流をシンクするように適合され、前記第2のプッシュプルドライバが電流をソースするように適合される、請求項13に記載の生理学的センサ。
【請求項１５】
生理学的センサ方法であって、
身体組織によって減衰されたときに少なくとも1つの生理学的特徴を示す複数の波長を有する光を発するために、電気グリッドの複数の導体を使用して複数の発光源に順次アドレスする段階と、
発せられた光を身体組織による減衰後に検出する段階とを含む方法。
【請求項１６】
前記電気グリッドの唯1つの接合部のところで前記発光源を1つずつ接続する段階をさらに含む、請求項15に記載の方法。
【請求項１７】
前記導体のうちの行の1つにアドレスする段階と、
前記導体のうちの列の1つにアドレスする段階とをさらに含んでおり、
前記アドレスされた行と前記アドレスされた列との間に接続された発光源が作動される、請求項16に記載の方法。
【請求項１８】
前記発光源のうち作動されたものをプッシュ/プル駆動する段階をさらに含む、請求項17に記載の方法。
【請求項１９】
前記発光源のうち動作停止されたものを逆バイアスする段階をさらに含む、請求項18に記載の方法。
【請求項２０】
前記発光源のうち同一波長のものを複数提供する段階と、
前記同一波長の発光源に同時にアドレスする段階とをさらに含む、請求項19に記載の方法。
【発明の詳細な説明】
【技術分野】
【０００１】
関連仮出願に対する優先権の主張
本願は、米国特許法35 U.S.C.§119(e)に基づき、2005年3月1日に出願された名称「Multiple Wavelength Sensor」の米国仮特許出願第60/657596号、2005年3月1日に出願された名称「Physiological Parameter Confidence Measure」の同第60/657281号、2005年3月1日に出願された名称「Configurable Physiological Measurement System」の同第60/657268号、および2005年3月1日に出願された名称「Noninvasive Multi-Parameter Patient Monitor」の同第60/657759号の優先権の利益を主張する。本願は、以上の開示を参照により本明細書に援用する。
【０００２】
同時係属中の関連出願の参照による援用
本願は、以下の同時係属中の米国実用特許出願に関連する。
【０００３】
【表１】
2008538186.tif 000003
【０００４】
本願は、以上の開示を参照により本明細書に援用する。
【背景技術】
【０００５】
分光法は、溶液の有機成分および一部の無機成分の濃度を測定する一般的な技術である。この技術の理論的基礎は、ランベルトベールの法則(Beer-Lambert law)であり、この法則は、特定の波長λにおける光路長dλ、入射光の強度I0,λ、および吸光係数εi,λがわかれば、溶液を透過する光の強度によって溶液中の吸収剤の濃度ciを決定できるとしている。一般化された形態では、ランベルトベールの法則は、次式で表され、
【０００６】
【数１】
2008538186.tif 000004
【０００７】
式中、μa,λは、バルク吸収係数であり、単位長さ当たりの吸収確率を表す。式1〜2を解くために必要な別個の波長の最小数は、溶液中に存在する重要な吸収体の数である。
【０００８】
この技術の実際の用途は、非侵襲センサを使用して酸素飽和度(SpO2)および脈拍数を測定するパルスオキシメトリである。一般に、センサは、赤色および赤外波長の光学的放射線を組織部位内へと伝達させる発光ダイオード(LED)と、該組織部位内を流れる脈動動脈血による吸収(例えば、透過またはトランスリフレクタンス(transreflectance)による)後の光学的放射線の強度に応答する検出器とを有する。この応答に基づいて、処理装置が、SpO2、脈拍数の測定値を決定し、代表するプレチスモグラフ的波形を出力することができる。ゆえに、本明細書で使用する「パルスオキシメトリ」は、当業者に知られているその通常の広い意味を包含しており、それには少なくとも、分光法を通じて循環血液のパラメータを測定する非侵襲的手順が含まれる。さらに、本明細書で使用する「プレチスモグラフ」(一般に「フォトプレチスモグラフ」と呼ばれる)は、当業者に知られているその通常の広い意味を包含しており、それには少なくとも、脈動する血液に起因する身体組織の変化に応じた光の特定の波長の吸収の変化を表すデータが含まれる。体動によって誘起される雑音を通して読取り可能なパルスオキシメータが、米国カリフォルニア州アーバイン(Irvine)のMasimo Corporation(「Masimo」)から市販されている。さらに、体動によって誘起される雑音を通して読取り可能な携帯型および他のオキシメータは、少なくともMasimo所有の米国特許第6770028号、同第6658276号、同第6157850号、同第6002952号、同第5769785号、および同第5758644号に開示されており、それらを参照により本明細書に援用する。モーションオキシメータを通じたそのような読取りは、外科病棟、集中治療室および新生児治療室、一般病棟、在宅治療、身体の訓練、ならびにほぼすべてのタイプの監視シナリオを含め、幅広い医療用途で急速に受け入れられてきた。
【特許文献１】米国仮特許出願第60/657596号
【特許文献２】米国仮特許出願第60/657281号
【特許文献３】米国仮特許出願第60/657268号
【特許文献４】米国仮特許出願第60/657759号
【特許文献５】米国特許第6770028号
【特許文献６】米国特許第6658276号
【特許文献７】米国特許第6157850号
【特許文献８】米国特許第6002952号
【特許文献９】米国特許第5769785号
【特許文献１０】米国特許第5758644号
【発明の開示】
【発明が解決しようとする課題】
【０００９】
酸素飽和度および脈拍数以外に、またはそれらに加えて、多数の生理学的パラメータを非侵襲的に測定する必要がある。例えば、特定の状況下でやはり重要となるヘモグロビン種は、一酸化炭素ヘモグロビンおよびメトヘモグロビンである。重要な臨床情報を提供するために測定できる他の血液パラメータは、いくつか例を挙げれば、酸素飽和分率(fractional oxygen saturation)、総ヘモグロビン(Hbt)、ビリルビン、および血糖である。
【課題を解決するための手段】
【００１０】
生理学的センサの一態様は、電気グリッドの少なくとも1つの行と少なくとも1つの列とにアドレスすることによってそれぞれ作動される発光源である。発光源は、多数の波長を有する光を伝達させ、検出器は、身体組織による減衰後の透過光に応答する。
【００１１】
生理学的センサの他の態様は、多数の波長を有する光を伝達させることのできる発光源である。各発光源は、第1の接点と第2の接点とを含む。発光源の第1のセットの第1の接点は、第1の導体と通信しており、発光源の第2のセットの第2の接点は、第2の導体と通信している。検出器は、身体組織によって減衰された透過光を検出し、身体組織の少なくとも1つの生理学的パラメータを示す信号を出力することができる。第1のセットの少なくとも1つの発光源と、第2のセットの少なくとも1つの発光源とは、第1のセットと第2のセットとに共通していない。さらに、第1のセットおよび第2のセットは、それぞれ少なくとも2つの発光源を含む。
【００１２】
生理学的センサの他の態様は、身体組織によって減衰されたときに少なくとも1つの生理学的特徴を示す多数の波長を有する光を発するために、電気グリッドの導体を使用して発光源に順次アドレスする。発せられた光は、身体組織による減衰後に検出される。
【発明を実施するための最良の形態】
【００１３】
概要
本願では、多くの血液パラメータに言及する。一般的な略称を有する一部の言及対象には、そのような略称を通じて言及する。例えば、本明細書では、HbCOは、一酸化炭素ヘモグロビンを示し、HbMetは、メトヘモグロビンを示し、Hbtは、総ヘモグロビンを示す。また、これらと同じ成分について、当該技術分野では、COHb、MetHb、tHbなど、他の略称も一般的である。これらの成分は、一般にパーセンテージに関して報告され、しばしば、飽和度、相対濃度、または飽和分率(fractional saturation)と呼ばれる。総ヘモグロビンは、一般に濃度g/dLとして報告される。本願で提示される特定の略称の使用は、用語を、指定された成分が記録されるいずれか特定の方式に限定するものではない。
【００１４】
図1は、従来のパルスオキシメトリと比べて測定能力の向上した、モニタ100と多波長センサアセンブリ200とを有する生理学的測定システム10を示す。生理学的測定システム10は、患者を含めた人間のモニタリングを可能にする。具体的には、多波長センサアセンブリ200は、酸素飽和度および脈拍数に加えて、血液成分および関連パラメータの測定を可能にする。あるいは、多波長センサアセンブリ200は、従来のパルスオキシメトリと比べて向上した確度またはロバスト性での酸素飽和度および脈拍数の測定を可能にする。
【００１５】
一実施形態では、センサアセンブリ200は、モニタセンサポート110にプラグ接続するように構成される。モニタキー160は、いくつか例を挙げれば、動作モードおよびアラームの制御をもたらす。ディスプレイ170は、いくつか例を挙げれば、酸素飽和度、脈拍数、HbCO、HbMetなど、測定されたパラメータの読出しをもたらす。
【００１６】
図2Aは、組織部位に取り付けられるように適合されたセンサ400と、センサケーブル4400と、モニタコネクタ210とを有する多波長センサアセンブリ200を示す。一実施形態では、センサ400は、指先に着脱自在に取り付けられて該指先内に光を伝達させるように適合された、再使用可能なフィンガークリップに組み込まれる。図示の通り、センサケーブル4400とモニタコネクタ210とは、センサ400に一体化されている。代替的な諸実施形態では、センサ400をケーブル4400およびコネクタ210とは別個に構成することができる。
【００１７】
図2B〜Cは、一部が使い捨てで一部が再使用可能(リスポーザブル(resposable))である、接着性の取付け機構を使用するセンサ401(図2B)を含めた、センサの代替的な実施形態を示す。また、使い捨てであり、接着性の取付け機構を使用するセンサ402(図2C)も示されている。他の諸実施形態では、センサを、足や耳など、指以外の様々な組織部位に取り付けられるように構成することができる。また、センサを、前額部もしくは他の組織表面に取り付けられる反射型またはトランスフレクタンス(transflectance)デバイスとして構成することもできる。
【００１８】
図3は、発光体アセンブリ500と、検出器アセンブリ2400と、相互接続アセンブリ1900と、取付けアセンブリ2700とを有するセンサアセンブリ400を示す。発光体アセンブリ500は、モニタ100内のセンサコントローラ4500からケーブル4400を介して受け取った駆動信号に応答して、複数の波長を有する光学的放射線を組織部位内へと伝達させる。検出器アセンブリ2400は、組織部位による減衰後に受け取った光学的放射線に応答して、ケーブル4400を介してモニタ100にセンサ信号を供給する。相互接続アセンブリ1900は、ケーブル4400と、発光体アセンブリ500および検出器アセンブリ2400両方との間に電気通信をもたらす。取付けアセンブリ2700は、前述のように、発光体アセンブリ500および検出器アセンブリ2400を組織部位に取り付ける。発光体アセンブリ500については、以下で図5に関してさらに詳細に説明する。相互接続アセンブリ1900については、以下で図19に関してさらに詳細に説明する。検出器アセンブリ2400については、以下で図24に関してさらに詳細に説明する。取付けアセンブリ2700については、以下で図27に関してさらに詳細に説明する。
【００１９】
図4は、指先に着脱自在に取り付けられるセンサ400の一実施形態を示す。センサ400は、多波長発光体アセンブリ500と対応する検出器アセンブリ2400とを内蔵する。フレックス回路アセンブリ1900は、発光体アセンブリ500および検出器アセンブリ2400を実装し、それらのアセンブリをマルチワイヤセンサケーブル4400に相互接続する。有利には、センサ400は、いくつかの点で着用者快適性およびパラメータ測定性能の両方のために構成される。フレックス回路アセンブリ1900は、パッド剛性および着用者不快感を低減するために、発光体アセンブリ500および検出器アセンブリ2400からケーブル4400ワイヤを機械的に切り離すように構成される。パッド3000、3100は、可撓性および着用者快適性を高めるためにシェル3800、3900から機械的に切り離される。フィンガークリップの旋回点が指先よりも十分に後方にきて、指への取付けを改善し、クリップ圧を指に沿ってより均等に分布させるように、ばね3600が、ヒンジ式シェル3800、3900内に構成される。
【００２０】
図4に示されるように、検出器パッド3100は、指先を検出器アセンブリ2400と適正な関係に位置決めするような構造をしている。パッドは、周囲光を遮るフラップを有する。検出器アセンブリ2400は、指先組織を通過せずに発光体アセンブリから検出器アセンブリへと送られる光を低減するために密閉容器内に収められる。以上および他の特徴については、以下で詳細に説明する。具体的には、発光体アセンブリの諸実施形態については、図5〜18に関して説明する。フレキシブル回路アセンブリ1900を含めた相互接続アセンブリの諸実施形態については、図19〜23に関して説明する。検出器アセンブリの諸実施形態については、図24〜26に関して説明する。取付けアセンブリの諸実施形態については、図27〜39に関して説明する。
【００２１】
発光体アセンブリ
図5は、発光体アレイ700と、基板1200と、等化(equalization)900とを有する発光体アセンブリ500を示す。発光体アレイ700は、電気グリッドの少なくとも1つの行と少なくとも1つの列とにアドレスすることによってそれぞれ作動される、多数の発光源を有する。発光源は、多数の波長を有する光学的放射線を伝達させることができる。等化900は、検出された強度の波長依存性変動を少なくとも低減するために、多数の波長にわたる光学的放射線の組織減衰差を考慮する。基板1200は、発光体アレイおよび発光体に関係した等化のための物理的実装、ならびに発光体アレイと相互接続アセンブリとの間の接続をもたらす。有利には、基板1200は、また、発光源についての動作波長を計算するためにバルク温度測定ももたらす。発光体アレイ700については、以下で図7に関してさらに詳細に説明する。等化については、以下で図9に関してさらに詳細に説明する。基板1200については、以下で図12に関してさらに詳細に説明する。
【００２２】
図6は、発光体アレイ700と、密封材(encapsulant)600と、光学フィルタ1100と、基板1200とを有する発光体アセンブリ500の一実施形態を示す。発光体アセンブリ500の様々な態様については、以下で図7〜18に関して説明する。発光体アレイ700は、所定の公称値の多数の波長を有する光学的放射線を発して、有利には多数のパラメータの測定を可能にする。具体的には、発光体アレイ700は、駆動制御、等化、および特定の波長での光学的経路長差の最小化を容易にするために、電気グリッド内に物理的に配置されて電気的に接続された多数の発光ダイオード(LED)710を有する。光学フィルタ1100は、有利には、特定のLEDサブセットにわたって強度等化をもたらすように構成される。基板1200は、LED動作波長をよりよく決定するために、発光体アレイ700のバルク温度を提供するように構成される。
【００２３】
発光体アレイ
図7は、多数の波長を有する光702を組織部位1内へと発することができる多数の発光素子(LE)710を有する発光体アレイ700を示す。行ドライバ4530および列ドライバ4560は、発光素子710へと電気的に接続され、電気グリッドの少なくとも1つの行720と少なくとも1つの列740とにアドレスすることによって1つ以上の発光素子710を作動させる。一実施形態では、各発光素子710は、第1の接点712と第2の接点714とを含む。発光素子の第1のサブセット730の第1の接点712は、電気グリッドの第1の導体720と通信している。発光素子の第2のサブセット750の第2の接点714は、第2の導体740と通信している。各サブセットは、少なくとも2つの発光素子を含んでおり、第1のサブセット730および第2のサブセット750の発光素子のうちの少なくとも1つは、共通していない。検出器2400は、発せられた光702を検出し、組織部位1による減衰後の発せられた光702に応答してセンサ信号2500を出力することができる。したがって、センサ信号2500は、前述のように、組織部位1に対応する少なくとも1つの生理学的パラメータを示す。
【００２４】
図8は、n行m列、合計n+m本の駆動ライン4501、4502の電気グリッド内に接続されたLED 801を有する発光体アレイ700を示しており、nおよびmは、1よりも大きな整数である。電気グリッドは、有利には、個々のLED 801を任意の順序で、また多数のLED 801を同時に、選択的に作動させるための柔軟性を維持しながら、LED 801を作動させるのに必要な駆動ラインの数を最小限に抑える。電気グリッドは、また、各波長における強度を制御するためのLED電流の設定、動作波長の決定、および電力損失を制限するための総グリッド電流の監視を容易にする。発光体アレイ700は、また、物理的に行810を成して構成される。この物理的編成は、経路長の変動を最小限に抑えるための波長に応じたLED 801のクラスタリングを容易にし、またLED強度の等化を容易にする。
【００２５】
図8に示されるように、発光体アレイ700の一実施形態は、4つの行810および4つの列820の電気グリッドに構成された最高16個までのLED 801を含む。4本の行駆動ライン4501それぞれが、4つのLED 801にコモンアノード接続をもたらし、4本の列駆動ライン4502それぞれが、4つのLED 801にコモンカソード接続をもたらす。ゆえに、16個のLED 801は、有利には、4本のアノード駆動ライン812と4本のカソード駆動ライン822とを含めた、たった8本のワイヤで駆動される。これは、より多くの駆動ラインを必要とする従来のコモンアノードまたはカソードLED構成に優るとも劣らない。特定の一実施形態では、発光体アレイ700には、表1に示される公称波長を有する8つのLEDが部分的に装着される。さらに、610〜630nmの範囲の波長を有するLEDは、同一の行にグループ化される。発光体アレイ700は、SpO2および脈拍数に加えてHbCOおよび/またはMETHbを測定する生理学的測定システム10(図1)に適合される。
【００２６】
【表２】
2008538186.tif 000005
【００２７】
やはり図8に示されるように、モニタ100内に配置された行ドライバ4530および列ドライバ4560は、LED 801を選択的に作動させる。具体的には、行ドライバ4530および列ドライバ4560は、相まって、LEDを作動させるためにそれぞれVccおよび電流シンクへのスイッチの役割を果たし、またLEDを動作停止させるためにそれぞれグラウンドおよびVccへのスイッチの役割を果たす。このプッシュプル駆動構成は、有利には、動作停止されたLED内の寄生電流を防ぐ。特定の一実施形態では、一度に1本の行駆動ライン4501だけがVccに切り替えられる。ただし、特定の行内の多数のLEDを同時に作動させるために、1〜4本の列駆動ライン4502を同時に電流シンクに切り替えることができる。同一波長の2つ以上のLEDの作動は、強度等化を容易にし、これについては以下で図9〜11に関して説明する。LEDドライバについては、以下で図45に関してさらに詳細に説明する。
【００２８】
以上で、発光体アセンブリについて、公称波長をほぼ中心とする光学的放射線を伝達させるようにそれぞれ構成された発光素子のアレイに関して説明したが、他の実施形態では、発光体アセンブリは、有利には、発光体から検出器までの波長依存性の経路長差を最小限に抑えるために、波長を選択するためのフィルタの使用を含め、調節可能な1つ以上の広帯域光源を使用する。他の発光体アセンブリの実施形態では、公称波長をほぼ中心とする光学的放射線を伝達させるようにそれぞれ構成された多数の発光体からの光学的放射線が、波長依存性の経路長差を最小限に抑えるために組織部位の一点に集中供給(funneled)される。この集中供給(funneling)は、例えば、光ファイバまたは鏡によって達成することができる。他の実施形態では、LED 801を、他の様々な構成のLED、ドライバ、および相互接続導体のうち対応した異なるドライバを用いて、代替的な向きを成すように構成することができる。
【００２９】
等化
図9は、コントローラ4500と、発光体アセンブリ500と、検出器アセンブリ2400と、フロントエンド4030とを有する生理学的パラメータ測定システム10を示す。発光体アセンブリ500は、多数の波長を有する光学的放射線を組織部位1内へと伝達させるように構成される。検出器アセンブリ2400は、組織減衰後の光学的放射線に応答してセンサ信号2500を生成するように構成される。フロントエンド4030は、アナログデジタル変換(ADC)の前にセンサ信号2500に条件付けする。
【００３０】
図9は、また、組織部位1上で動作する生理学的測定システム10内の等化900を全体的に示す。等化は、発光体波長のスペクトル全体にわたってADCのダイナミックレンジ内に十分に入るセンサ信号2500を提供するために、システム10に組み込まれた機能を含む。具体的には、等化は、HbおよびHbO2による組織の光吸収910の不均衡を補償する。具体的には、これらの血液成分は、IR波長よりも大きな赤色波長を減衰させる。理想的には、等化900は、この不均一な減衰の均衡を保つ。等化900は、コントローラ4500からフロントエンド4030までのシステム10内のどこにでも組み込むことができ、ここに示したように波長に対する補償減衰、もしくは波長に対する補償増幅、またはその両方を含むことができる。
【００３１】
等化は、組織吸収特徴を補償するように波長に応じてコントローラ4500からの駆動電流およびフロントエンド4030増幅を調節することによって、限られた程度まで達成することができる。ただし、信号復調制約が、これらの調節の大きさを制限する。有利には、等化900は、また、発光体500から検出器2400までの光学的経路に沿って設けられる。等化の諸実施形態については、以下で図10〜11に関してさらに詳細に説明する。
【００３２】
図10A〜Dは、光学的放射線を組織部位1内へと伝達させるように適合された発光体アレイ700と、組織減衰後の光学的放射線に応答してセンサ信号2500を生成するように適合された検出器アセンブリ2400とを有する、様々な等化の実施形態を示す。図10Aは、光学的放射線が組織部位1内へと伝達される前に該光学的放射線の少なくとも一部分を減衰させる光学フィルタ1100を示す。具体的には、光学フィルタ1100は、等化曲線900(図9)に近づくように光学的放射線のIR波長スペクトルの少なくとも一部分を減衰させる。図10Bは、光学的放射線が組織部位1によって減衰された後で該光学的放射線の少なくとも一部分を減衰させる光学フィルタ1100を示しており、光学フィルタ1100が等化曲線900(図9)に近づく。
【００３３】
図10Cは、発光体アレイの少なくとも一部分が同一波長の多数の発光素子710から1つ以上の波長を発生させる、発光体アレイ700を示す。具体的には、同一波長の発光素子710が、減衰曲線910(図9)をほぼ等化するように赤色波長スペクトルの少なくとも一部分を押し上げる。図10Dは、減衰曲線910(図9)を等化するように選択された多数の検出器2610、2620を有する検出器アセンブリ2400を示す。光学的等化は、また、特定の発光体アレイ700および検出器2400コンポーネント、例えば、出力強度がより高いLEDまたは赤色波長での感度がより高い検出器を選択することによって、限られた程度まで達成することができる。等化の諸実施形態について、赤色およびIR波長に関して上述したが、これらの等化の諸実施形態を、光学スペクトルの任意の部分にわたって組織特徴を等化するために適用することもできる。
【００３４】
図11A〜Cは、有利には前述のような光学的等化をもたらす、発光体アセンブリ500のための光学フィルタ1100を示す。発光体アレイ700内のLEDは、出力強度もしくは波長またはその両方に従ってグループ化することができる。このようなグループ化は、アレイ全体にわたるLED強度の等化を容易にする。具体的には、比較的低い組織吸収および/または比較的高い出力強度のLEDは、比較的高い減衰の光学フィルタ下で1つにグループ化することができる。同様に、比較的低い組織吸収および/または比較的低い出力強度のLEDは、光学フィルタなしに、または比較的低いもしくは無視できる減衰の光学フィルタ下で、1つにグループ化することができる。さらに、高い組織吸収および/または低い強度のLEDは、図10Cに関して上述したように、同一波長の1つ以上のLEDが同時に作動される同一行内にグループ化することができる。一般に、任意の数のLEDグループが存在することができ、またグループ内には任意の数のLEDが存在することができる。また、光学フィルタなし、および/または減衰を無視できる「透明」フィルタを含めて、ある範囲の減衰を有するグループに対応する任意の数の光学フィルタが存在することもできる。
【００３５】
図11A〜Cに示されるように、有利にはLEDおよびボンディングワイヤを保護するためのカバーとしても光学フィルタ1100としても機能する密封材にフィルタリング媒体を追加することができる。一実施形態では、フィルタリング媒体1100は、LEDの選ばれたグループを封入し、透明媒体600(図6)は、アレイ700全体とフィルタリング媒体1000(図6)とを封入する。前述の表1に対応する特定の一実施形態では、公称660〜905nmで発光する5つのLEDが、フィルタリング媒体1100とその上を覆う透明媒体600(図6)とで封入される、すなわち、減衰される。特定の一実施形態では、フィルタリング媒体1100は、ともに米国マサチューセッツ州ビルリカ(Billerica)のEpoxy Technology, Inc.から市販される透明密封材(EPO-TEK OG147-7)と不透明密封材(EPO-TEK OG147)との40:1混合物である。公称610〜630nmで発光する3つのLEDは、透明媒体600(図6)だけによって封入される、すなわち、減衰されない。代替的な諸実施形態では、組織吸収および/もしくは出力強度に応じて、個々のLEDを1つずつまたは複合的に封入することができる。他の代替的な諸実施形態では、フィルタリング媒体は、別々に取付け可能な光学フィルタ、または密封材と別々に取付け可能な光学フィルタとの組合せとすることができる。特定の一実施形態では、発光体アセンブリ500は、1つ以上のクリップオン式光学フィルタを保持するために、コンポーネント端部1305(図13)に近い両側部に沿って1つ以上のノッチを有する。
【００３６】
基板
図12は、対応する駆動電流1210に応答して多数の波長を有する光学的放射線1201を伝達させるように構成された発光素子710を示す。発光体についてのバルク温度1202を安定させるために、熱質量1220が発光体710の近くに配置される。温度センサ1230が熱質量1220に熱的に結合されており、その際、駆動電流1210およびバルク温度1202に応じて波長が決定可能となるように、温度センサ1230は、バルク温度1202に応答して温度センサ出力1232を供給する。
【００３７】
一実施形態では、各発光素子710の動作波長λaは、式3に従って決定され、
λa=f(Tb, I駆動, シグマI駆動)                     (3)
式中、Tbは、バルク温度であり、I駆動は、後述する、センサコントローラ4500(図45)によって決定される、特定の発光素子についての駆動電流であり、シグマI駆動は、すべての発光素子についての総駆動電流である。他の実施形態では、温度センサは、各発光素子710の温度を測定するように構成されており、各発光素子710の動作波長λaは、式4に従って決定され、
λa=f(Ta, I駆動, シグマI駆動)                    (4)
式中、Taは、特定の発光素子の温度であり、I駆動は、その発光素子についての駆動電流であり、シグマI駆動は、すべての発光素子についての総駆動電流である。
【００３８】
他の実施形態では、各発光素子710についての接合電圧を測定することによって、各発光素子についての動作波長が決定される。他の実施形態では、各発光素子710の温度は、各発光素子710に結合された1つ以上のペルチェセルなどによって制御され、各発光素子710についての動作波長は、得られる1つ以上の制御された温度に応じて決定される。他の諸実施形態では、各発光素子710についての動作波長は、例えば、いくつか例を挙げれば、各発光素子に電荷結合素子(CCD: charge coupled device)を取り付けることによって、または各発光素子に光ファイバを取り付けて、それら光ファイバを波長測定デバイスに結合させることによって、直接的に決定される。
【００３９】
図13〜18は、発光体アレイ700(図8)とサーミスタ1540(図16)との間に熱伝導性を与えるように構成された基板1200の一実施形態を示す。この方法では、サーミスタ1540(図16)の抵抗を測定して、基板1200上に実装されたLED 801(図8)のバルク温度を決定することができる。基板1200は、また、バルク温度のサーミスタ測定が意味のあるものとなるようにバルク温度を安定化かつ標準化させる、比較的大きな熱質量を備えて構成される。
【００４０】
図13〜14は、コンポーネント側部1301と、はんだ側部1302と、コンポーネント端部1305と、コネクタ端部1306とを有する基板1200を示す。位置合わせノッチ1310が、端部1305と1306との間に配置される。基板1200は、さらに、コンポーネント層1401と、内層1402〜1405と、はんだ層1406とを有する。内層1402〜1405、例えば、内層1402(図18)は、発光体アレイ700(図12)についてのバルク温度を安定させるために、熱質量1220(図12)を提供するかなり大きな金属化領域1411を有する。金属化領域1411は、また、コンポーネントパッド1510およびワイヤボンドパッド1520(図15)をコネクタ1530に相互接続する働きもする。
【００４１】
図15〜16は、コンポーネント端部1305にコンポーネントパッド1510とワイヤボンドパッド1520とを有する基板1200を示す。コンポーネントパッド1510は、LED 801(図8)の第1の側部(アノードまたはカソード)を実装して基板1200へと電気的に接続する。ワイヤボンドパッド1520は、LED 801(図8)の第2の側部(カソードまたはアノード)を基板1200へと電気的に接続する。コネクタ端部1306は、基板1200を含めた発光体アセンブリ500(図23)を実装してフレックス回路2200(図22)へと電気的に接続するコネクタパッド1532、1534を備えたコネクタ1530を有する。基板層1401〜1406(図14)は、コンポーネントパッド1510およびワイヤボンドパッド1520をコネクタ1532〜1534へと電気的に接続する配線(traces)を有する。サーミスタ1540が、コンポーネント端部1305のところでサーミスタパッド1550に実装されており、それらサーミスタパッドは、やはり配線によってコネクタ1530へと電気的に接続される。めっきされた貫通穴が、それぞれコンポーネント側部1301およびはんだ側部1302上のコネクタパッド1532、1534を電気的に接続する。
【００４２】
図17は、基板1200の電気的配置を示す。D1〜D4およびD13〜D16を含めたLED 801の一部分は、コンポーネントパッド1510(図15)に物理的かつ電気的に接続されたカソードと、それに対応する、ワイヤボンドパッド1520にワイヤボンディングされたアノードとを有する。D5〜D8およびD9〜D12を含めたLED 801の他の部分は、コンポーネントパッド1510(図15)に物理的かつ電気的に接続されたアノードと、それに対応する、ワイヤボンドパッド1520にワイヤボンディングされたカソードとを有する。コネクタ1530は、LED 801およびサーミスタ1540のための、行ピンアウトJ21〜J24と、列ピンアウトJ31〜J34と、サーミスタピンアウトJ40〜J41とを有する。
【００４３】
相互接続アセンブリ
図19は、発光体アセンブリ500と検出器アセンブリ2400とを実装し、センサケーブル4400に接続し、ケーブルと、発光体アセンブリ500および検出器アセンブリ2400それぞれとの間に電気通信をもたらす、相互接続アセンブリ1900を示す。一実施形態では、相互接続アセンブリ1900は、発光体アセンブリおよび検出器アセンブリを組織部位に対して保持する取付けアセンブリ2700と一体化される。フレキシブル(フレックス)回路を使用する相互接続アセンブリの一実施形態については、以下で図20〜24に関して説明する。
【００４４】
図20は、回路基板2200と、発光体実装部2210と、検出器実装部2220と、ケーブルコネクタ2230とを有する相互接続アセンブリ1900の一実施形態を示す。発光体実装部2210と、検出器実装部2220と、ケーブルコネクタ2230とは、回路基板2200上に配置される。発光体実装部2210は、多数の発光体を有する発光体アセンブリ500を実装するように適合される。検出器実装部2220は、検出器を有する検出器アセンブリ2400を実装するように適合される。ケーブルコネクタ2230は、センサケーブル4400を取り付けるように適合される。回路基板2200上に配置された第1の複数の導体2040は、発光体実装部2210とケーブルコネクタ2230とを電気的に相互接続する。回路基板2200上に配置された第2の複数の導体2050は、検出器実装部2220とケーブルコネクタ2230とを電気的に相互接続する。ケーブルコネクタ2230の近くに配置されたデカップリング2060は、センサケーブルの剛性が発光体アセンブリ500または検出器アセンブリ2400に伝達されないように、ケーブルコネクタ2230を発光体実装部2210および検出器実装部2220の両方から実質的に機械的に分離する。シールド2070は、センサケーブル4400の1つもしくは複数のワイヤまたはワイヤ対を包み込んでシールドするように適合される。
【００４５】
図21は、センサケーブル4400のセンサ端部を終端させるように構成された、フレックス回路2200と、発光体アセンブリ500と、検出器アセンブリ2400とを有するフレックス回路アセンブリ1900を示す。フレックス回路アセンブリ1900は、有利には、センサケーブル4400と、発光体アセンブリ500と、検出器アセンブリ2400とを電気的に接続するが機械的に分離する構造を提供する。その結果、センサケーブル4400の機械的剛性は、センサパッド3000、3100(図30〜31)に伝達されず、センサ200(図1)について快適な指の取付けが可能になる。具体的には、発光体アセンブリ500と検出器アセンブリ2400とは、細長いフレックス回路2200の両端2201、2202(図22)に実装される。センサケーブル4400は、フレックス回路2200の中央部分から延びるケーブルコネクタ2230に実装される。検出器ワイヤ4470は、ケーブル内側シールド4450に接続された折り返し伝導性インクフラップ(fold-over conductive ink flap)2240によって、フレックス回路接合部のところでシールドされる。フレックス回路2200については、図22に関してさらに詳細に説明する。フレックス回路アセンブリ1900の発光体部分については、図23に関してさらに詳細に説明する。検出器アセンブリ2400については、図24に関して説明する。センサケーブル4400については、以下で図44A〜Bに関して説明する。
【００４６】
図22は、発光体端部2201と、検出器端部2202と、端部2201と2202との間の細長い相互接続部2204、2206と、相互接続部2204、2206から延びるケーブルコネクタ2230とを有するセンサフレックス回路2200を示す。発光体端部2201は、発光体アセンブリ500(図6)を取り付けるための発光体はんだパッド2210と、後述する、発光体パッド3000(図30B)に取り付けるための据付耳部2214とを有する、「頭部(head)」を形成する。検出器端部2202は、検出器2410(図24)を取り付けるための検出器はんだパッドを有する。発光体端部2201とケーブルコネクタ2230との間の相互接続部2204は、「首部(neck)」を形成しており、検出器端部2202とケーブルコネクタ2230との間の相互接続部2206は、「尾部(tail)」を形成する。ケーブルコネクタ2230は、首部2204と尾部2206との間の相互接続部2204、2206から延びる「翼部(wings)」を形成する。伝導性インクフラップ2240は、ケーブル内側シールド4450(図44A〜B)に接続し、検出器ワイヤパッド2236にはんだ付けされた検出器ワイヤ4470(図44A〜B)を包み込んでシールドする。外側ワイヤパッド2238は、残りのケーブルワイヤ4430(図44A〜B)に接続する。フレックス回路2200は、最上部カバーレイ、最上部インク、内側カバーレイ、配線、配線基部、底部インク、および底部カバーレイ層を有する。
【００４７】
フレックス回路2200は、有利には、発光体アセンブリおよび検出器アセンブリを扱いにくい剛性のものにすることなく、多線センサケーブル4400(図44A〜B)と、多波長発光体アセンブリ500(図6)と、検出器アセンブリ2400(図24)との間に接続をもたらす。具体的には、翼部2230は、ケーブル4400(図44A〜B)をフレックス回路2200の残りの部分から機械的に分離するために首部2204および尾部2206のところで細くなった比較的大きいはんだパッド領域2232を提供する。さらに、首部2204は、発光体パッド3000(図30A〜H)内に設置するために折り曲げられ(図4参照)、ケーブル4400(図44A〜B)を発光体アセンブリ500(図4)からさらに機械的に分離するために可撓性ばねの役割をする。尾部2206は、検出器パッド3100(図31A〜H)内に実装された検出器アセンブリ2400(図24)と、反対側の発光体パッド3000(図30A〜H)内に実装されたケーブルコネクタ2230との間に一体型の接続経路を提供する。
【００４８】
図23は、発光体アセンブリ500を有するフレックス回路アセンブリ1900(図21)の発光体部分を示す。発光体アセンブリコネクタ1530は、フレックス回路2200(図22)の発光体端部2201に取り付けられる。具体的には、リフローはんだ2330が、発光体アセンブリ500の貫通穴パッド1532、1534をフレックス回路2200(図22)の対応する発光体パッド2210に接続する。
【００４９】
図24は、検出器2410と、はんだパッド2420と、銅メッシュテープ2430と、EMIシールド2440と、フォイル2450とを含む検出器アセンブリ2400を示す。検出器2410は、フレックス回路2200の検出器はんだパッド2420に、2460素子側を下にしてはんだ付けされる。検出器はんだ接合部および検出器接地パッド2420は、Kaptonテープ2470で包まれる。EMIシールドタブ2442は、検出器パッド2420上に折り曲げられ、はんだ付けされる。EMIシールド壁は、検出器2410の周りに折り曲げられ、残りのタブ2442は、EMIシールド2440の裏面にはんだ付けされる。銅メッシュテープ2430は、適切なサイズに切られ、シールドされた検出器およびフレックス回路はんだ接合部は、銅メッシュテープ2430で包まれる。フォイル2450は、所定の孔部2452を備えた適切なサイズに切られる。フォイル2450は、フォイル側を中にして、シールドされた検出器の周りに巻き付けられ、孔部2452は、EMIシールドグリッド2444と位置合わせされる。
【００５０】
検出器アセンブリ
図25は、隣接検出器を有する代替的な検出器アセンブリ2400の一実施形態を示す。発光体700によって発生された多数の波長を有する光学的放射線が、組織部位1内へと伝達される。波長の第1のセットにおける光学的放射線は、例えば、Si検出器など、第1の検出器2510によって検出される。波長の第2のセットにおける光学的放射線は、例えば、GaAs検出器など、第2の検出器2520によって検出される。
【００５１】
図26は、光路に沿って同軸にある積層検出器を有する他の代替的な検出器アセンブリ2400の実施形態を示す。発光体700によって発生された多数の波長を有する光学的放射線が、組織部位1内へと伝達される。波長の第1のセットにおける光学的放射線は、第1の検出器2610によって検出される。波長の第2のセットにおける光学的放射線は、第1の検出器2610を通過し、第2の検出器2620によって検出される。特定の一実施形態では、シリコン(Si)検出器およびガリウムヒ素(GaAs)検出器が使用される。光が必ずSi検出器を通過してからGaAs検出器に到達することになるように、Si検出器は、GaAs検出器の上に置かれる。Si検出器をGaAs検出器の上に直接置くこともでき、またはSi検出器とGaAs検出器とを、透明な媒体や空気など、他の何らかの媒体によって隔てることもできる。他の特定の実施形態では、GaAs検出器の代わりにゲルマニウム検出器が使用される。有利には、積層検出器の配置は、隣接検出器の実施形態と比べて経路長差によって引き起こされる誤差を最小限に抑える。
【００５２】
フィンガークリップ
図27は、生理学的センサ取付けアセンブリのフィンガークリップの一実施形態2700を示す。フィンガークリップ2700は、フレックス回路アセンブリ1900によって相互接続された発光体アセンブリ500(図6)と検出器アセンブリ2400(図24)とを指先に着脱自在に取り付けるように構成される。フィンガークリップ2700は、発光体シェル3800と、発光体パッド3000と、検出器パッド2800と、検出器シェル3900とを有する。発光体シェル3800と検出器シェル3900とは、ばねアセンブリ3500によって回転自在に連結され、併せて付勢される。発光体パッド3000は、発光体シェルによって固定保持される。発光体アセンブリ500(図6)は、発光体パッド3000の近くに実装され、複数の波長を有する光学的放射線を指先組織内へと伝達させるように適合される。検出器パッド2800は、検出器シェル3900によって固定保持される。検出器アセンブリ2400は、検出器パッド2800の近くに実装され、指先組織による減衰後の光学的放射線を受け取るように適合される。
【００５３】
図28は、精確なセンサ測定のために、指先を検出器アセンブリに対して位置決めして楽に維持するように有利に構成された、検出器パッド2800を示す。具体的には、検出器パッドは、ガイド2810と、輪郭部2820と、止め部2830とを含む指先位置決め配置機構を有する。ガイド2810は、パッド表面2803から隆起し、指先が第1の端部2801からパッド表面2803に沿って挿入されるにつれて次第に指先に共形となるように、ガイド2810が第1の端部2801から第2の端部2802に延びるにつれて狭くなる。輪郭部2820は、該輪郭部2820内に配置された検出器孔部2840を覆って位置決めされた指先に概ね共形となるような形状をした、パッド表面2803に沿って画定されるへこみ(indentation)を有する。止め部2830は、指の端が第2の端部2802を越えたところまで挿入されるのを阻止するために、パッド表面2803から隆起している。図29A〜Bは、ガイド2810と、輪郭部2820と、止め部2830とをそれぞれ有する検出器パッドの実施形態3100、3400を示しており、それぞれ図31および34に関してさらに詳細に説明する。
【００５４】
図30A〜Hは、発光体パッドフラップ3010と、発光体窓3020と、据付ピン3030と、発光体アセンブリキャビティ3040と、分離ノッチ3050と、フレックス回路ノッチ3070と、ケーブルノッチ3080とを有する発光体パッド3000を示す。発光体パッドフラップ3010は、周囲光を遮るために検出器パッドフラップ3110(図31A〜H)と重なり合う。発光体窓3020は、発光体アレイ700(図8)から組織部位までの光学的経路を提供する。据付ピン3030は、フレックス回路据付耳部2214(図22)内の孔部に受け入れ、キャビティ3040は、発光体アセンブリ500(図21)を収容する。分離ノッチ3050は、シェル取付部3060を発光体パッド3000の残りの部分から機械的に切り離す。フレックス回路ノッチ3070は、検出器パッド3100(図31A〜H)へと通されたフレックス回路尾部2206(図22)を収容する。ケーブルノッチ3080は、センサケーブル4400(図44A〜B)を収容する。図33A〜Hは、代替的な細い指用の発光体パッド3300の一実施形態を示す。
【００５５】
図31A〜Hは、検出器パッドフラップ3110と、シューボックスキャビティ3120と、分離ノッチ3150とを有する検出器パッド3100を示す。検出器パッドフラップ3110は、周囲光を遮るために発光体パッドフラップ3010(図30A〜H)と交互に重なり合う。シューボックスキャビティ3120は、後述するシューボックス3200(図32A〜H)を収容する。分離ノッチ3150は、検出器パッド3100の残りの部分から取付点3160を機械的に切り離す。図34A〜Hは、代替的な細い指用の検出器パッド3400の一実施形態を示す。
【００５６】
図32A〜Hは、検出器アセンブリ2400(図24)を収容するシューボックス3200を示す。検出器窓3210は、組織部位から検出器2410(図24)までの光学的経路を提供する。フレックス回路ノッチ3220は、発光体パッド3000(図30A〜H)から通されたフレックス回路尾部2206(図22)を収容する。一実施形態では、シューボックス3200は、黒色または実質的に光を吸収する他の色をしており、発光体パッド3000および検出器パッド3100は、それぞれ白色または実質的に光を反射する他の色をしている。
【００５７】
図35〜37は、発光体シェル3800(図46)と検出器シェル3900とを併せて付勢するように構成されたばね3600を有するばねアセンブリ3500を示す。検出器シェルは、発光体シェルに回転自在に連結される。ばねは、シェル3800と3900との間に配置され、シェル間で把持された指に沿って、実質的に指先よりも後方にある旋回点を作り出すように適合される。これによって、有利には、シェルヒンジ3810、3910(図38〜39)が拡張して、フィンガークリップの力を挿入された指に沿って分散させ、その結果、過剰な力なしに検出器を覆う適所で指先を楽に保つことができるようになる。
【００５８】
図36A〜Cに示されるように、ばね3600は、コイル部3610と、発光体シェル用脚部3620と、検出器シェル用脚部3630とを有する。発光体シェル用脚部3620は、把持部3820(図38A〜D)の近くで発光体シェル3800(図38A〜D)に押し付けられる。検出器シェル用脚部3630は、検出器シェル3900(図39A〜D)に沿ってばねプレート3700(図37A〜D)取付点まで延びる。コイル部3610は、ヒンジピン410(図46)によってしっかり固定され、フィンガークリップが開かれるにつれて巻回し、それに従ってその直径および応力を低減するように構成される。
【００５９】
図37A〜Dに示されるように、ばねプレート3700は、取付孔3710と、ばね脚部スロット3720と、シェルフ3730とを有する。取付孔3710は、対応するシェルポスト3930(図39A〜D)を受け取って、ばねプレート3700を検出器シェル3900(図39A〜D)にしっかり固定する。ばね脚部3630(図36A〜C)は、シェルフ3730によって検出器シェル3900(図39A〜D)に摺動可能にアンカー固定され、その結果、有利には、ばね3600と、シェル3800、3900と、ヒンジ3810、3910との組合せを様々な指のサイズおよび形状に調整できるようになる。
【００６０】
図38〜39は、ヒンジ3810、3910および把持部3820、3920をそれぞれ有する、発光体シェル3800および検出器シェル3900を示す。ヒンジ孔部3812、3912は、フィンガークリップを作り出すようにヒンジピン410(図46)を受け取る。検出器シェルヒンジ孔部3912は、細長いので、指を収容するためにヒンジを拡張させることができる。
【００６１】
モニタおよびセンサ
図40は、以上で図1〜3に関して概説した、モニタ100と対応するセンサアセンブリ200とを示す。センサアセンブリ200は、センサ400とセンサケーブル4400とを有する。センサ400は、センサコントローラ4500内のドライバに応答して光学的放射線を組織部位内へと伝達させる発光体を有する発光体アセンブリ500を内蔵する。センサ400は、また、組織減衰後の光学的放射線に応答してセンサ信号2500を供給する検出器アセンブリ2400も内蔵する。センサ信号2500は、フロントエンド4030によってフィルタリングされ、増幅され、サンプリングされ、デジタル化され、やはりセンサコントローラ4500にコマンドを出すDSP(デジタルシグナルプロセッサ: digital signal processor)4040に入力される。センサケーブル4400は、駆動信号をセンサコントローラ4500から発光体アセンブリ500へと電気的に通信し、またセンサ信号2500を検出器アセンブリ2400からフロントエンド4030へと電気的に通信する。センサケーブル4400は、モニタセンサポート110にプラグ接続するモニタコネクタ210を有する。
【００６２】
一実施形態では、モニタ100は、また、センサアセンブリ200内の情報要素(IE: information element)から情報を得て、その情報をDSP 4040に、モニタ100内の別のプロセッサもしくはコンポーネントに、またはモニタ100と少なくとも一時的に通信する外部コンポーネントもしくはデバイスに転送することのできる、読取装置4020を有する。代替的な一実施形態では、読取装置の機能は、一例として、DSP I/O、ADC、DAC機能、および対応する処理ルーチンのうちの1つ以上を使用して、DSP 4040内に組み込まれる。
【００６３】
一実施形態では、モニタコネクタ210は、情報要素4000を内蔵しており、該情報要素は、メモリデバイスまたは他の能動もしくは受動電気コンポーネントとすることができる。特定の一実施形態では、情報要素4000は、EPROMもしくは他のプログラマブルメモリ、またはEEPROMもしくは他の再プログラマブルメモリ、あるいはその両方である。代替的な一実施形態では、情報要素4000は、センサ400に内蔵され、または情報要素4000は、モニタコネクタ210およびセンサ400の両方に内蔵される。他の実施形態では、発光体アセンブリ500は、センサコントローラ4500からの1つ以上の駆動信号に応答して読み取られる情報要素4000を有しており、これについては以下で図41〜43に関して説明する。他の実施形態では、メモリ情報要素は、発光体アレイ700(図8)に組み込まれ、LED 801(図8)に関する特性化情報を有する。有利な一実施形態では、いくつか例を挙げれば、潅流指標(perfusion index)、HbCO、METHbなど、ゆっくり変化するパラメータに関する傾向データが、EEPROMなどのIEメモリデバイスに格納される。
【００６４】
逆接続(Back-to-Back)LED
図41〜43は、代替的なセンサの諸実施形態を示す。電気グリッド内に配置された発光体アレイ700(図7)を作動させるように構成されたセンサコントローラ4500については、上述した図7に関して記載されている。有利には、そのように構成されたセンサコントローラ4500は、また、逆接続LED 4110、4120もしくは情報要素4300またはその両方を有する、従来の2波長(赤色およびIR)センサ4100を駆動することができる。
【００６５】
図41Aは、少なくとも1つの行導体と少なくとも1つの列導体とにアドレスすることによって発光源を作動させるように構成された電気グリッド4130を有するセンサ4100を示す。第1のLED 4110および第2のLED 4120は、第1の接点4152が第1のLED 4110カソードと第2のLED 4120アノードとに接続され、第2の接点4154が第1のLED 4110アノードと第2のLED 4120カソードとに接続されるように、逆接続配置に構成される。第1の接点4152は、第1の行導体4132および第1の列導体4134と通信する。第2の接点は、第2の行導体4136および第2の列導体4138と通信する。第1のLED 4110は、第1の行導体4132と第2の列導体4138とにアドレスすることによって作動される。第2のLED 4120は、第2の行導体4136と第1の列導体4134とにアドレスすることによって作動される。
【００６６】
図41Bは、モニタ100とセンサ4100との間に信号を通信できるセンサケーブル4400の一実施形態を示す。ケーブル4400は、第1の行入力4132と、第1の列入力4134と、第2の行入力4136と、第2の列入力4138とを有する。第1の出力4152は、第1の行入力4132と第1の列入力4134とを組み合わせる。第2の出力4154は、第2の行入力4136と、第2の列入力4138とを組み合わせる。
【００６７】
図41Cは、センサ4100に駆動信号を通信できるモニタ100を示す。モニタ100は、第1の行信号4132と、第1の列信号4134と、第2の行信号4136と、第2の列信号4138とを有する。第1の出力信号4152は、第1の行信号4132と、第1の列信号4134とを組み合わせる。第2の出力信号4154は、第2の行信号4136と、第2の列信号4138とを組み合わせる。
【００６８】
情報要素
図42〜43は、電気グリッド内に接続された発光素子を作動させるように構成された発光体アレイドライバと通信する、情報要素4200〜4300の諸実施形態を示す。情報要素は、対応するDC、AC、またはDCとACとの組合せの電気グリッド駆動信号に応答して、DC値、AC値、またはDC値とAC値との組合せとして情報を提供するように構成される。図42は、行710と列720とを有する電気グリッドによって有利には直接的に駆動される情報要素の実施形態4200を示す。具体的には、情報要素4200は、電気グリッドの行ライン710と列ライン720との間に接続された、直列接続された抵抗R2 4210とダイオード4220とを有する。この方法では、抵抗R2値を、LED 810(図8)が作動されるのと類似の方法で読み取ることができる。ダイオード4220は、寄生電流がLED 810(図8)を不要に作動させるのを防ぐために、例えば、LEDとしてアノードが行にカソードが列にくる向きに配置される。
【００６９】
図43A〜Cは、R1の値がDCグリッド駆動電流と対応するグリッド出力電圧レベルとによって読み取られる、他の諸実施形態を示す。他の特定の諸実施形態では、R1とR2とCとを組み合わせた値、あるいはR1とR2とLとを組み合わせた値が、変動する(AC)グリッド駆動電流と対応するグリッド出力電圧波形とによって読み取られる。一例として、グリッド駆動電流のステップを使用して、グリッド電圧の対応する上昇の時定数からコンポーネント値を決定する。他の例として、正弦波グリッド駆動電流を使用して、対応する正弦波グリッド電圧の大きさもしくは位相またはその両方からコンポーネント値を決定する。DCまたはAC電気グリッド駆動電流によって決定されるコンポーネント値は、特に、センサのタイプ、認可された供給業者もしくは製造業者、発光体の波長を表すことがある。さらに、ダイオードD(図43C)を使用して、ある駆動レベルもしくは極性における1つの情報要素読取値であるR1と、第2の駆動レベルもしくは極性における、すなわち、ダイオードが順方向バイアスされているときの、別の情報要素読取値であるR1とR2との組合せとを提供することができる。
【００７０】
受動情報要素4300の諸実施形態には、例えば、直列および並列に接続された、抵抗器、コンデンサ、またはインダクタの様々な組合せのいずれかを含めることができる。電気グリッドに接続された、発光体アレイドライバを使用して読み取られる他の情報要素4300の諸実施形態は、いくつか例を挙げれば、トランジスタネットワーク、PROM、ROM、EPROM、EEPROM、ゲートアレイ、およびPLAを含め、他の受動コンポーネント、能動コンポーネント、もしくはメモリコンポーネントを、単独でまたは組合せで組み込む。
【００７１】
センサケーブル
図44A〜Bは、外側ジャケット4410と、外側シールド4420と、多数の外側ワイヤ4430と、内側ジャケット4440と、内側シールド4450と、導電性ポリマー4460と、内側撚線対4470とを有するセンサケーブル4400を示す。外側ワイヤ4430は、有利には、多数の駆動信号を発光体アレイ700(図7)へとコンパクトに運ぶように構成される。一実施形態では、4つのアノード駆動信号4501(図45)と、4つのカソード駆動信号4502(図45)と、2つのサーミスタピンアウト1450(図15)と、2つのスペアとに対応する、12本の外側ワイヤ4430が存在する。内側撚線対4470は、センサ信号2500(図25)に対応し、摩擦電気ノイズを低減するために導電性ポリマー4460内に押し出される。シールド4420、4450および撚線対4470は、センサ信号2500(図25)のEMIおよびクロストーク耐性を高める。
【００７２】
コントローラ
図45は、モニタ100(図1)内に配置され、アノード駆動信号4501およびカソード駆動信号4502を発光体アレイ700(図7)に供給するように構成されたセンサコントローラ4500を示す。モニタのための信号処理機能を実行するDSP(デジタルシグナルプロセッサ)4040は、また、センサコントローラ4500にコマンド4042を与える。これらのコマンドは、駆動信号4501、4502のレベルおよびタイミングを決定する。センサコントローラ4500は、コマンドレジスタ4510と、アノードセレクタ4520と、アノードドライバ4530と、電流DAC(デジタルアナログ変換器)4540と、電流マルチプレクサ4550と、カソードドライバ4560と、電流計4570と、電流制限器4580とを有する。コマンドレジスタ4510は、DSPコマンド4042に応答して制御信号を供給する。一実施形態では、コマンドレジスタ4510は、DSP 4040からシリアルコマンドデータ4042をロードして、センサコントローラ4500内の様々な機能を選択もしくはイネーブルにする出力ビットを同期的にセットするシフトレジスタであり、これについては後述する。
【００７３】
図45に示されるように、アノードセレクタ4520は、どの発光体アレイ行810(図8)がアクティブであるかを判定するコマンドレジスタ4510からのアノードセレクト4516入力に応答する。したがって、アノードセレクタ4520は、アノードドライバ4530へのアノードオン4522出力のうちの1つをセットし、それが発光体アレイ700(図8)へのアノード出力4501の1つをVccにプルアップする。
【００７４】
やはり図45に示されるように、電流DAC 4540は、各発光体アレイ列820(図8)を流れる電流を決定するコマンドレジスタデータ4519に応答する。一実施形態では、各発光体アレイ列820(図8)に結び付けられた4つの12ビットDAC、すなわち、合計16個のDACが存在する。すなわち、各発光体アレイ列820(図8)に沿った各行810(図8)に関連した電流に対応する、各発光体アレイ列820(図8)に関連した4つのDAC出力4542が存在する。特定の一実施形態では、16個のDAC 4540すべてがシングルシフトレジスタとして編成され、コマンドレジスタ4510は、DAC 4540へのDACデータ4519を逐次計時する。電流マルチプレクサ4550は、コマンドレジスタ4510からのカソードオン4518入力と、アノードセレクタ4520からのアノードオン4522入力とに応答して、適切なDAC出力4542をカソードドライバ4560への電流セット4552入力に変換する。カソードドライバ4560は、電流セット4552入力に応答して、発光体アレイ700(図8)へのカソード出力4502の1〜4つを接地にプルダウンする。
【００７５】
電流計4570は、発光体アレイ700(図8)を駆動する総LED電流を示す電流測定値4572を出力する。電流制限器4580は、電流測定値4572と、コマンドレジスタ4510によって指定された制限値とに応答して、発光体アレイ700(図8)による過度の電力損失を防ぐ。電流制限器4580は、アノードセレクタ4520にイネーブル4582出力を供給する。上限値4512入力は、事前設定された2つの電流制限値のうちの高い方を指定する。電流制限器4580は、電流制限値を超えるときにイネーブル4582出力をオフ状態でラッチして、アノードセレクタ4520をディセーブルにする。トリップリセット4514入力は、イネーブル4582出力をリセットして、アノードセレクタ4520を再イネーブルにする。
【００７６】
センサアセンブリ
図46に示されるように、センサ400は、発光体シェル3800と、発光体パッド3000と、フレックス回路アセンブリ2200と、検出器パッド3100と、検出器シェル3900とを有する。センサケーブル4400は、フレックス回路2100と、発光体アセンブリ500と、検出器アセンブリ2400とを含むフレックス回路アセンブリ2200に取り付けられる。センサケーブル4400取付部と発光体アセンブリ500とを有するフレックス回路アセンブリ2200の部分は、発光体シェル3800および発光体パッド3000によって収容される。検出器アセンブリ2400を有するフレックス回路アセンブリ2200の部分は、検出器シェル3900および検出器パッド3100によって収容される。具体的には、検出器アセンブリ2400は、シュー3200に挿入され、シュー3200は、検出器パッド3100に挿入される。発光体シェル3800と検出器シェル3900とは、ばね3600のコイル部に挿通されるヒンジピン410によって締着され、該ヒンジピン410の周りで回動する。ばね3600は、ばねプレート3700によって検出器シェル3900に対して保持される。指止め450が検出器シェルに取り付けられる。一実施形態では、シリコーン接着剤420を使用してパッド3000、3100をシェル3800、3900に取り付け、シリコーンポッティング化合物430を使用して発光体アセンブリ500および検出器アセンブリ2400をパッド3000、3100内にしっかり固定し、シアノアクリル接着剤440がセンサケーブル4400を発光体シェル3800へとしっかり固定する。
【００７７】
多波長センサを、様々な実施形態と併せて詳細に開示した。これらの実施形態は、単に一例として開示されており、冒頭の特許請求の範囲を制限しようとするものではない。当業者には、多くの変形形態および修正形態が理解されよう。
【図面の簡単な説明】
【００７８】
【図１】多波長センサを使用する生理学的測定システムの斜視図である。
【図２Ａ】多波長センサの一実施形態の斜視図である。
【図２Ｂ】多波長センサの一実施形態の斜視図である。
【図２Ｃ】多波長センサの一実施形態の斜視図である。
【図３】多波長センサおよびセンサコントローラの全体的なブロック図である。
【図４】多波長センサの一実施形態の分解斜視図である。
【図５】発光体アセンブリの全体的なブロック図である。
【図６】発光体アセンブリの一実施形態の斜視図である。
【図７】発光体アレイの全体的なブロック図である。
【図８】発光体アレイの一実施形態の略図である。
【図９】等化の全体的なブロック図である。
【図１０Ａ】様々な等化の一実施形態のブロック図である。
【図１０Ｂ】様々な等化の一実施形態のブロック図である。
【図１０Ｃ】様々な等化の一実施形態のブロック図である。
【図１０Ｄ】様々な等化の一実施形態のブロック図である。
【図１１Ａ】様々な等化の一実施形態を組み込んだ発光体アセンブリの斜視図である。
【図１１Ｂ】様々な等化の一実施形態を組み込んだ発光体アセンブリの斜視図である。
【図１１Ｃ】様々な等化の一実施形態を組み込んだ発光体アセンブリの斜視図である。
【図１２】発光体基板の全体的なブロック図である。
【図１３】発光体基板の一実施形態の上面図である。
【図１４】発光体基板の一実施形態の詳細側面図である。
【図１５】発光体基板の一実施形態の上面のコンポーネント配置図である。
【図１６】発光体基板の一実施形態の底面のコンポーネント配置図である。
【図１７】発光体基板の一実施形態の略図である。
【図１８】発光体基板の一実施形態の内層の平面図である。
【図１９】他のセンサアセンブリと関係している相互接続アセンブリの全体的なブロック図である。
【図２０】相互接続アセンブリの一実施形態のブロック図である。
【図２１】相互接続アセンブリのフレックス回路アセンブリの一実施形態の部分分解斜視図である。
【図２２】フレックス回路の上面図である。
【図２３】フレックス回路アセンブリの発光体部分の分解斜視図である。
【図２４】検出器アセンブリの一実施形態の分解斜視図である。
【図２５】隣接検出器の一実施形態のブロック図である。
【図２６】積層検出器の一実施形態のブロック図である。
【図２７】取付けアセンブリのフィンガークリップの一実施形態のブロック図である。
【図２８】検出器パッドの全体的なブロック図である。
【図２９Ａ】検出器パッドの一実施形態の斜視図である。
【図２９Ｂ】検出器パッドの一実施形態の斜視図である。
【図３０Ａ】発光体パッドの一実施形態の底面斜視図である。
【図３０Ｂ】発光体パッドの一実施形態の上面斜視図である。
【図３０Ｃ】発光体パッドの一実施形態の底面図である。
【図３０Ｄ】発光体パッドの一実施形態の背面図である。
【図３０Ｅ】発光体パッドの一実施形態の上面図である。
【図３０Ｆ】発光体パッドの一実施形態の側断面図である。
【図３０Ｇ】発光体パッドの一実施形態の側面図である。
【図３０Ｈ】発光体パッドの一実施形態の正面断面図である。
【図３１Ａ】検出器パッドの一実施形態の底面斜視図である。
【図３１Ｂ】検出器パッドの一実施形態の上面斜視図である。
【図３１Ｃ】検出器パッドの一実施形態の上面図である。
【図３１Ｄ】検出器パッドの一実施形態の背面図である。
【図３１Ｅ】検出器パッドの一実施形態の底面図である。
【図３１Ｆ】検出器パッドの一実施形態の側断面図である。
【図３１Ｇ】検出器パッドの一実施形態の側面図である。
【図３１Ｈ】検出器パッドの一実施形態の正面断面図である。
【図３２Ａ】シューボックスの底面斜視図である。
【図３２Ｂ】シューボックスの上面斜視図である。
【図３２Ｃ】シューボックスの上面図である。
【図３２Ｄ】シューボックスの背面図である。
【図３２Ｅ】シューボックスの底面図である。
【図３２Ｆ】シューボックスの側断面図である。
【図３２Ｇ】シューボックスの側面図である。
【図３２Ｈ】シューボックスの正面断面図である。
【図３３Ａ】細い指用の発光体パッドの一実施形態の底面斜視図である。
【図３３Ｂ】細い指用の発光体パッドの一実施形態の上面斜視図である。
【図３３Ｃ】細い指用の発光体パッドの一実施形態の上面図である。
【図３３Ｄ】細い指用の発光体パッドの一実施形態の背面図である。
【図３３Ｅ】細い指用の発光体パッドの一実施形態の底面図である。
【図３３Ｆ】細い指用の発光体パッドの一実施形態の側断面図である。
【図３３Ｇ】細い指用の発光体パッドの一実施形態の側面図である。
【図３３Ｈ】細い指用の発光体パッドの一実施形態の正面断面図である。
【図３４Ａ】細い指用の検出器パッドの一実施形態の底面斜視図である。
【図３４Ｂ】細い指用の検出器パッドの一実施形態の上面斜視図である。
【図３４Ｃ】細い指用の検出器パッドの一実施形態の上面図である。
【図３４Ｄ】細い指用の検出器パッドの一実施形態の背面図である。
【図３４Ｅ】細い指用の検出器パッドの一実施形態の底面図である。
【図３４Ｆ】細い指用の検出器パッドの一実施形態の側断面図である。
【図３４Ｇ】細い指用の検出器パッドの一実施形態の側面図である。
【図３４Ｈ】細い指用の検出器パッドの一実施形態の正面断面図である。
【図３５Ａ】ばねアセンブリの一実施形態の平面図である。
【図３５Ｂ】ばねアセンブリの一実施形態の断面図である。
【図３６Ａ】フィンガークリップばねの上面図である。
【図３６Ｂ】フィンガークリップばねの斜視図である。
【図３６Ｃ】フィンガークリップばねの側面図である。
【図３７Ａ】ばねプレートの上面図である。
【図３７Ｂ】ばねプレートの背面図である。
【図３７Ｃ】ばねプレートの底面図である。
【図３７Ｄ】ばねプレートの側面図である。
【図３８Ａ】発光体パッドシェルの正面断面図である。
【図３８Ｂ】発光体パッドシェルの底面図である。
【図３８Ｃ】発光体パッドシェルの正面図である。
【図３８Ｄ】発光体パッドシェルの側断面図である。
【図３９Ａ】検出器パッドシェルの背面図である。
【図３９Ｂ】検出器パッドシェルの上面図である。
【図３９Ｃ】検出器パッドシェルの正面図である。
【図３９Ｄ】検出器パッドシェルの側断面図である。
【図４０】モニタおよびセンサの全体的なブロック図である。
【図４１Ａ】逆接続(back-to-back)ダイオードと情報要素とを有するセンサのためのグリッド駆動部の一実施形態の略図である。
【図４１Ｂ】逆接続ダイオードと情報要素とを有するセンサのためのグリッド駆動部の一実施形態の略図である。
【図４１Ｃ】逆接続ダイオードと情報要素とを有するセンサのためのグリッド駆動部の一実施形態の略図である。
【図４２】情報要素のためのグリッド駆動部の一実施形態の略図である。
【図４３Ａ】グリッド駆動部可読の情報要素についての略図である。
【図４３Ｂ】グリッド駆動部可読の情報要素についての略図である。
【図４３Ｃ】グリッド駆動部可読の情報要素についての略図である。
【図４４Ａ】センサケーブルの断面図である。
【図４４Ｂ】センサケーブルの切欠側面図である。
【図４５】センサコントローラの一実施形態のブロック図である。
【図４６】多波長センサの一実施形態の詳細な分解斜視図である。
【符号の説明】
【００７９】
1    組織部位
10    生理学的測定システム、生理学的パラメータ測定システム
100    モニタ
110    モニタセンサポート
160    モニタキー
170    ディスプレイ
200    多波長センサアセンブリ
210    モニタコネクタ
400    センサ、センサアセンブリ
401    センサ
402    センサ
410    ヒンジピン
420    シリコーン接着剤
430    シリコーンポッティング化合物
440    シアノアクリル接着剤
450    指止め
500    発光体アセンブリ
600    密封材、透明媒体
700    発光体アレイ
702    光
710    発光ダイオード、発光素子、LE、行、行ライン
712    第1の接点
714    第2の接点
720    行、第1の導体、列、列ライン
730    第1のサブセット
740    列、第2の導体
750    第2のサブセット
801    LED
810    行
812    アノード駆動ライン
820    列
822    カソード駆動ライン
900    等化
910    HbおよびHbO2による組織の光吸収、減衰曲線
1100    光学フィルタ、フィルタリング媒体
1200    基板
1201    光学的放射線
1202    バルク温度
1210    駆動電流
1220    熱質量
1230    温度センサ
1232    温度センサ出力
1301    コンポーネント側部
1302    はんだ側部
1305    コンポーネント端部
1306    コネクタ端部
1310    位置合わせノッチ
1401    コンポーネント層
1402、1403、1404、1405    内層
1406    はんだ層
1411    金属化領域
1510    コンポーネントパッド
1520    ワイヤボンドパッド
1530    コネクタ
1532、1534    コネクタパッド
1540    サーミスタ
1550    サーミスタパッド
1900    相互接続アセンブリ、フレックス回路アセンブリ、フレキシブル回路アセンブリ
2040、2050    導体
2060    デカップリング
2070    シールド
2100    フレックス回路
2200    フレックス回路、回路基板、センサフレックス回路
2201    発光体端部
2202    検出器端部
2204    相互接続部、首部
2206    相互接続部、尾部
2210    発光体実装部、発光体はんだパッド
2214    据付耳部
2220    検出器実装部
2230    ケーブルコネクタ、翼部
2232    はんだパッド領域
2236    検出器ワイヤパッド
2238    外側ワイヤパッド
2240    折り返し伝導性インクフラップ(fold-over conductive ink flap)
2330    リフローはんだ
2400    検出器アセンブリ、検出器
2410    検出器
2420    はんだパッド
2430    銅メッシュテープ
2440    EMIシールド
2442    EMIシールドタブ
2444    EMIシールドグリッド
2450    フォイル
2452    孔部
2460    素子
2500    センサ信号
2510、2520、2610、2620    検出器
2700    取付けアセンブリ、フィンガークリップ
2800    検出器パッド
2801    第1の端部
2802    第2の端部
2803    パッド表面
2810    ガイド
2820    輪郭部
2830    止め部
2840    検出器孔部
3000    発光体パッド、センサパッド
3010    発光体パッドフラップ
3020    発光体窓
3030    据付ピン
3040    発光体アセンブリキャビティ
3050    分離ノッチ
3060    シェル取付部
3070    フレックス回路ノッチ
3080    ケーブルノッチ
3100    検出器パッド、センサパッド
3110    検出器パッドフラップ
3120    シューボックスキャビティ
3150    分離ノッチ
3160    取付点
3200    シューボックス、シュー
3210    検出器窓
3220    フレックス回路ノッチ
3300    細い指用の発光体パッド
3400    細い指用の検出器パッド
3500    ばねアセンブリ
3600    ばね
3610    コイル部
3620    発光体シェル用脚部
3630    検出器シェル用脚部
3700    ばねプレート
3710    取付孔
3720    ばね脚部スロット
3730    シェルフ
3800    発光体シェル
3810    ヒンジ
3812    ヒンジ孔部
3820    把持部
3900    検出器シェル
3910    ヒンジ
3912    ヒンジ孔部
3920    把持部
3930    シェルポスト
4000    情報要素
4020    読取装置
4030    フロントエンド
4040  DSP、デジタルシグナルプロセッサ
4042    コマンド
4100    センサ
4110    LED
4120    LED
4130    電気グリッド
4132    第1の行導体、第1の行入力、第1の行信号
4134    第1の列導体、第1の列入力、第1の列信号
4136    第2の行導体、第2の行入力、第2の行信号
4138    第2の列導体、第2の列入力、第2の列信号
4152    第1の接点、第1の出力、第1の出力信号
4154    第2の接点、第2の出力、第2の出力信号
4200    情報要素
4210    抵抗
4220    ダイオード
4300    情報要素
4400    センサケーブル
4410    外側ジャケット
4420    外側シールド
4430    外側ワイヤ
4440    内側ジャケット
4450    ケーブル内側シールド
4460    導電性ポリマー
4470    検出器ワイヤ、内側撚線対
4500    センサコントローラ
4501    行駆動ライン、アノード駆動信号
4502    列駆動ライン、カソード駆動信号
4510    コマンドレジスタ
4512    上限値
4514    トリップリセット
4516    アノードセレクト
4518    カソードオン
4519    コマンドレジスタデータ
4520    アノードセレクタ
4522    アノードオン
4530    行ドライバ、アノードドライバ
4540    電流DAC
4542    DAC出力
4550    電流マルチプレクサ
4552    電流セット
4560    列ドライバ、カソードドライバ
4570    電流計
4572    電流測定値
4580    電流制限器
4582    イネーブル
【図１】
2008538186.tif 000006
【図２Ａ】
2008538186.tif 000007
【図２Ｂ】
2008538186.tif 000008
【図２Ｃ】
2008538186.tif 000009
【図３】
2008538186.tif 000010
【図４】
2008538186.tif 000011
【図５】
2008538186.tif 000012
【図６】
2008538186.tif 000013
【図７】
2008538186.tif 000014
【図８】
2008538186.tif 000015
【図９】
2008538186.tif 000016
【図１０Ａ】
2008538186.tif 000017
【図１０Ｂ】
2008538186.tif 000018
【図１０Ｃ】
2008538186.tif 000019
【図１０Ｄ】
2008538186.tif 000020
【図１１Ａ】
2008538186.tif 000021
【図１１Ｂ】
2008538186.tif 000022
【図１１Ｃ】
2008538186.tif 000023
【図１２】
2008538186.tif 000024
【図１３】
2008538186.tif 000025
【図１４】
2008538186.tif 000026
【図１５】
2008538186.tif 000027
【図１６】
2008538186.tif 000028
【図１７】
2008538186.tif 000029
【図１８】
2008538186.tif 000030
【図１９】
2008538186.tif 000031
【図２０】
2008538186.tif 000032
【図２１】
2008538186.tif 000033
【図２２】
2008538186.tif 000034
【図２３】
2008538186.tif 000035
【図２４】
2008538186.tif 000036
【図２５】
2008538186.tif 000037
【図２６】
2008538186.tif 000038
【図２７】
2008538186.tif 000039
【図２８】
2008538186.tif 000040
【図２９Ａ】
2008538186.tif 000041
【図２９Ｂ】
2008538186.tif 000042
【図３０Ａ】
2008538186.tif 000043
【図３０Ｂ】
2008538186.tif 000044
【図３０Ｃ】
2008538186.tif 000045
【図３０Ｄ】
2008538186.tif 000046
【図３０Ｅ】
2008538186.tif 000047
【図３０Ｆ】
2008538186.tif 000048
【図３０Ｇ】
2008538186.tif 000049
【図３０Ｈ】
2008538186.tif 000050
【図３１Ａ】
2008538186.tif 000051
【図３１Ｂ】
2008538186.tif 000052
【図３１Ｃ】
2008538186.tif 000053
【図３１Ｄ】
2008538186.tif 000054
【図３１Ｅ】
2008538186.tif 000055
【図３１Ｆ】
2008538186.tif 000056
【図３１Ｇ】
2008538186.tif 000057
【図３１Ｈ】
2008538186.tif 000058
【図３２Ａ】
2008538186.tif 000059
【図３２Ｂ】
2008538186.tif 000060
【図３２Ｃ】
2008538186.tif 000061
【図３２Ｄ】
2008538186.tif 000062
【図３２Ｅ】
2008538186.tif 000063
【図３２Ｆ】
2008538186.tif 000064
【図３２Ｇ】
2008538186.tif 000065
【図３２Ｈ】
2008538186.tif 000066
【図３３Ａ】
2008538186.tif 000067
【図３３Ｂ】
2008538186.tif 000068
【図３３Ｃ】
2008538186.tif 000069
【図３３Ｄ】
2008538186.tif 000070
【図３３Ｅ】
2008538186.tif 000071
【図３３Ｆ】
2008538186.tif 000072
【図３３Ｇ】
2008538186.tif 000073
【図３３Ｈ】
2008538186.tif 000074
【図３４Ａ】
2008538186.tif 000075
【図３４Ｂ】
2008538186.tif 000076
【図３４Ｃ】
2008538186.tif 000077
【図３４Ｄ】
2008538186.tif 000078
【図３４Ｅ】
2008538186.tif 000079
【図３４Ｆ】
2008538186.tif 000080
【図３４Ｇ】
2008538186.tif 000081
【図３４Ｈ】
2008538186.tif 000082
【図３５Ａ】
2008538186.tif 000083
【図３５Ｂ】
2008538186.tif 000084
【図３６Ａ】
2008538186.tif 000085
【図３６Ｂ】
2008538186.tif 000086
【図３６Ｃ】
2008538186.tif 000087
【図３７Ａ】
2008538186.tif 000088
【図３７Ｂ】
2008538186.tif 000089
【図３７Ｃ】
2008538186.tif 000090
【図３７Ｄ】
2008538186.tif 000091
【図３８Ａ】
2008538186.tif 000092
【図３８Ｂ】
2008538186.tif 000093
【図３８Ｃ】
2008538186.tif 000094
【図３８Ｄ】
2008538186.tif 000095
【図３９Ａ】
2008538186.tif 000096
【図３９Ｂ】
2008538186.tif 000097
【図３９Ｃ】
2008538186.tif 000098
【図３９Ｄ】
2008538186.tif 000099
【図４０】
2008538186.tif 000100
【図４１Ａ】
2008538186.tif 000101
【図４１Ｂ】
2008538186.tif 000102
【図４１Ｃ】
2008538186.tif 000103
【図４２】
2008538186.tif 000104
【図４３Ａ】
2008538186.tif 000105
【図４３Ｂ】
2008538186.tif 000106
【図４３Ｃ】
2008538186.tif 000107
【図４４Ａ】
2008538186.tif 000108
【図４４Ｂ】
2008538186.tif 000109
【図４５】
2008538186.tif 000110
【図４６】
2008538186.tif 000111
【国際調査報告】
2008538186.tif 000112
2008538186.tif 000113
2008538186.tif 000114